(57)【要約】    【課題】      隣接信号レベルを考慮して高周波帯の利得を減少させる受信機並びに利得制御方法を提供し、高周波帯利得制御増幅器から出力する信号の歪みを回避すること。    【解決手段】  ミキサ１３０は、受信信号から所望の帯域の信号である所望信号と、前記所望信号に隣接する隣接信号とを抽出し、利得制御部２２０は、前記所望信号と前記隣接信号とを入力し、前記所望信号のレベルと、前記隣接信号のレベルとを測定し、前記所望信号のレベルが第一の閾値より大きく、かつ、前記隣接信号のレベルが第二の閾値より大きい場合、受信信号の高周波帯の利得を低減させる。  【選択図】      図１
2006050484.tif 000002
【特許請求の範囲】
【請求項１】
受信信号から所望の帯域の信号である所望信号と、前記所望信号に隣接する隣接信号とを抽出する抽出手段と、
前記所望信号と前記隣接信号とを入力し、前記所望信号のレベルと、前記隣接信号のレベルとを測定し、前記所望信号のレベルが第一の閾値より大きく、かつ、前記隣接信号のレベルが第二の閾値より大きい場合、受信信号の高周波帯の利得を低減させる利得制御手段と、
を備えることを特徴とする受信機。
【請求項２】
受信状態に基づいて、前記隣接信号を抽出させるか否かを判断し、前記隣接信号の抽出を前記抽出手段へ指示する判断手段を、さらに、備えることを特徴とする請求項１記載の受信機。
【請求項３】
前記判断手段は、前記所望信号のレベルが前記第一の閾値より大きい場合に、前記隣接信号の抽出を前記抽出手段へ指示することを特徴とする請求項２記載の受信機。
【請求項４】
前記判断手段は、受信状態が共通チャネルを用いてデータを受信している場合、一定区間送信が停止されるＭｅａｓｕｒｍｅｎｔ  ｔｉｍｅに指定された時間が、Ｍｅａｓｕｒｍｅｎｔ処理に必要な時間より長いかを判断する共通受信判定手段を備えることを特徴とする請求項２または請求項３記載の受信機。
【請求項５】
前記判断手段は、受信状態が個別チャネルを用いてデータを受信している場合、一定区間送信が停止される指定ギャップ長が、別のシステムの探索を行う所要ギャプ長より長いかを判断する連続受信判定手段を備えることを特徴とする請求項２から請求項４のいずれかに記載の受信機。
【請求項６】
前記判断手段は、受信状態が受信待ち受け状態を示している場合、任意の間隔で前記隣接信号の抽出を前記抽出手段へ指示する待ち受け時測定判定手段を備えることを特徴とする請求項２から請求項５のいずれかに記載の受信機。
【請求項７】
前記利得制御手段は、
所望信号のレベルと前記第一の閾値とを比較する第一の比較手段と、
前記隣接信号のレベルと前記第二の閾値とを比較する第二の比較手段と、を更に備え、
前記利得制御手段は、前記第一の比較手段の比較結果が第一の閾値より大きく、前記第二の比較手段の比較結果が第二の閾値より大きい場合に、高周波帯の利得を低減し、ベースバンド帯の利得を増加させることを特徴とする請求項１から請求項６いずれかに記載の受信機。
【請求項８】
前記利得制御手段は、前記第一の比較手段の比較結果が第一の閾値より大きく、前記第二の比較手段の比較結果が第二の閾値以下場合に、高周波帯の利得を維持し、ベースバンド帯の利得を調整することを特徴とする請求項７記載の受信機。
【請求項９】
前記利得制御手段は、前記第一の比較手段の比較結果が第一の閾値より大きく、前記第二の比較手段の比較結果が第二の閾値以下場合に、高周波帯の利得を増加し、ベースバンド帯の利得を調整することを特徴とする請求項７または請求項８記載の受信機。
【請求項１０】
受信信号から所望の帯域の信号である所望信号と、前記所望信号に隣接する隣接信号とを抽出する工程と、
前記所望信号と前記隣接信号とを入力し、前記所望信号のレベルを示す所望信号のレベルと、前記隣接信号のレベルを示す隣接信号のレベルとを測定する工程と、
前記所望信号のレベルが第一の閾値より大きく、かつ、前記隣接信号のレベルが第二の閾値より大きい場合、受信信号の高周波帯の利得を低減させる工程と、
を備えることを特徴とする利得制御方法。
【発明の詳細な説明】
【技術分野】
【０００１】
本発明は、受信信号の利得を制御する受信機及び利得制御方法に関する。
【背景技術】
【０００２】
従来の自動利得制御装置（ＡＣＧ利得制御装置）および方法として、特許文献１に記載されているものがある。特許文献１の自動利得制御装置では、アンテナから入力された変調信号は高周波帯利得制御増幅器にて増幅され、ミキサ、局部発振器、位相器にて直交ベースバンド信号に変換しベースバンドフィルタで希望信号帯域を取り出し、ベースバンド帯利得制御増幅器で利得制御され、Ａ／Ｄ（Analog/Digital）変換機にてＡ／Ｄ変換される。自動利得制御装置は、ＡＤ変換されて得られたＩＱ信号から振幅情報を取り出し、この情報をもとに、高周波帯利得制御増幅器、ベースバンド帯利得制御増幅器の利得を制御する。
【特許文献１】特開２００２−２６１６３８号公報
【発明の開示】
【発明が解決しようとする課題】
【０００３】
一般的に、受信信号に対する利得制御は、高周波帯利得制御増幅器の利得を大きくし、利得の不足分はベースバンド帯利得制御増幅器によって補われる。このときの所望利得は、ベースバンド帯域を抽出するベースバンドフィルタにより通過した希望周波数帯域の信号（所望信号）の信号レベルをもとに決定される。従って、所望信号に隣接する帯域の隣接信号の信号レベルの大きさについては考慮されていない。そのため、所望信号が小さい場合であっても、隣接信号に電力（信号レベル）の大きい信号が受信されていると、バンドパスフィルタに入力されている信号レベルは既に大きい。よって、高周波帯の利得を大きくしたままであると、高周波帯利得制御増幅器の信号出力に歪みが生じてしまう場合があった。
【０００４】
本発明はかかる点に鑑みてなされたものであり、隣接信号レベルを考慮して高周波帯の利得を減少させる受信機並びに利得制御方法を提供することを目的とする。さらに、受信機の受信状態に応じて、隣接信号レベルを考慮するか否かを判断する受信機並びに利得制御方法を提供することを目的とする。
【課題を解決するための手段】
【０００５】
本発明の受信機は、受信信号から所望の帯域の信号である所望信号と、前記所望信号に隣接する隣接信号とを抽出する抽出手段と、前記所望信号と前記隣接信号とを入力し、前記所望信号のレベルと、前記隣接信号のレベルとを測定し、前記所望信号のレベルが第一の閾値より大きく、かつ、前記隣接信号のレベルが第二の閾値より大きい場合、受信信号の高周波帯の利得を低減させる利得制御手段とを備える構成を採る。
【発明の効果】
【０００６】
本発明によれば、隣接信号レベルを考慮して高周波帯の利得を減少させるので、高周波帯利得制御増幅器から出力する信号の歪みを回避することができる。さらに、受信機の状態に応じて、隣接信号レベルを考慮するか否かを判断することができる。
【発明を実施するための最良の形態】
【０００７】
以下、本発明の実施の形態について、図面を参照して詳細に説明する。また、この明細書内では次のような用語を用いる。
【０００８】
「所望信号」は、所望の帯域の信号（希望周波数帯域の信号）とし、「所望信号レベル」は、所望信号の信号レベルとする。所望信号は、受信機がデータの受信に使用している帯域の信号に当たる。
【０００９】
「隣接信号」は、所望の帯域に隣接する帯域の信号とし、「隣接信号レベル」は、隣接信号の信号レベルとする。
【００１０】
「所望の帯域に隣接する信号」は、ＷＣＤＭＡ（Wideband Code Division Multiple Access）の帯域において，所望の帯域の信号を送信している帯域以外のＷＣＤＭＡの帯域を意味する。また、この明細書内では、隣接する帯域は、所望の帯域と接している帯域に限られることはなく、受信信号から所望の帯域を除いた部分の信号、帯域がはなれている信号も含まれる。
【００１１】
「トータル利得」は、所望信号の電力値が一定の値になるよう、受信信号を増幅する割合を定めた値であり、複数の増幅器がある場合は、それぞれの増幅器での利得をあわせた値をトータル利得とする。この明細書では、高周波帯域の利得とベースバンド帯域の利得とを合わせたものをトータル利得とする。
【００１２】
（実施の形態１）
図１は、本発明の実施の形態１に係る受信機の構成の一例を示すブロック図である。受信機は、無線通信により信号を受信する端末であればよく、携帯電話、無線機等が想定される。実施の形態１では、受信機の受信状態に基づいて、隣接信号レベルを考慮する否かを判断することについて説明し、実施の形態２において、利得制御の具体的な動作を説明する。
【００１３】
受信機は、高周波帯利得制御増幅器１１０、バンドパスフィルタ１２０、ミキサ１３０、ベースバンドフィルタ１４０ａ、１４０ｂ、ベースバンド帯利得制御増幅器１５０、Ａ／Ｄ変換器１６０、データ受信部１７０、制御部１８０、並びに、利得制御装置２００を備える。また、利得制御装置２００は、判断部２１０、及び、利得制御部２２０を備え、判断部２１０は、共通受信時判定部２１１、連続受信時判定部２１２、待ち受け時測定部２１３を備えた構成を採る。また、図１には図示していないが、受信機は、ＣＰＵ（Central Processing Unit）を備え、各構成要素を制御する。
【００１４】
高周波帯利得制御増幅器１１０は、受信信号に対して高周波帯での出力レベル制御を行う。バンドパスフィルタ１２０は、受信信号から不要周波数成分を除去する。ミキサ１３０は、所望信号、隣接信号を抽出する抽出手段であり、受信信号と局部発信信号とをミキシングし、I、Ｑ信号を得る。ベースバンドフィルタ１４０ａ、１４０ｂは、Ｉ，Ｑ信号に対して所望のベースバンド帯域を抽出する。ベースバンド帯利得制御増幅器１５０は、ベースバンドフィルタ１４０ａ、１４０ｂより出力されるベースバンド信号に対して出力レベル制御を行う。Ａ／Ｄ変換器１６０は、信号のアナログ／デジタル変換を行う。
【００１５】
データ受信部１７０は、Ａ／Ｄ変換器１６０を通過したＩＱ信号より，データを復調・復号し結果を制御部１８０に渡す。
【００１６】
制御部１８０は、復号したデータより制御情報を抽出し，受信機の状態遷移を行い、ＲＲＣ(Radio Resource Control)コネクションの確立／維持／開放などを行う。制御部１８０は、判断部２１０へ、受信機の現在の受信状態を通知する。
【００１７】
判断部２１０は、受信機の受信状態に基づいて、隣接信号レベルを測定するか否かを判断し、隣接信号を出力するようにミキサ１３０を制御する。具体的には、判断部２１０は、判断結果に基づいて、隣接信号を利得制御部２２０へ入力させるために、隣接信号の帯域（測定したい帯域）のキャリアにミキサ１３０の周波数を合わせるための制御信号（隣接信号の抽出を指示する信号）を出力する。
【００１８】
共通受信判定部２１１は、受信状態が共通チャネルを用いてデータを受信している場合、一定区間送信が停止される時間（上位レイヤから指示されるMeasurement time）内に隣接信号レベルを測定することが可能であるかを判断する。Measurement timeは、異周波ハンドオーバが可能となるセル或いは、他の通信システムを探索するために上位レイヤより指示される区間である。
【００１９】
連続受信判定部２１２は、受信状態が個別チャネルを用いてデータを受信している場合、一定区間送信が停止されるコンプレスモードギャップ区間の中で隣接信号レベルを測定することが可能であるかを判断する。コンプレスモードギャップ区間は、異周波ハンドオーバが可能となるセル或いは、通信システムを探索するために一定区間データの送信が止まる区間である。
【００２０】
待ち受け時測定部２１３は、受信状態が受信待ち受け状態を示している場合、任意の間隔で隣接信号を利得制御部２２０へ入力させるようにミキサ１３０を制御する。したがって、通話状態になる際に、所望の帯域の信号レベルと測定した隣接の帯域の信号レベルをもとに、高周波帯の利得と、ベースバンド帯の利得を制御する。
【００２１】
利得制御部２２０は、Ａ／Ｄ変換器１６０が出力したＡ／Ｄ出力信号を用いて、受信信号の利得（高周波帯の利得と、ベースバンド帯の利得）を制御する。Ａ／Ｄ出力信号は、所望信号と隣接信号とが時分割で切り替わる。切り替わるタイミングは、判断部２１０がミキサ１３０へ指示するタイミングである。Ａ／Ｄ出力信号が所望信号であるか、隣接信号であるかは、判断部２１０より通知される。利得の制御は、Ａ／Ｄ出力信号の信号レベルを所定の閾値と比較し、高周波帯利得制御増幅器１１０とベースバンド帯利得制御増幅器１５０の利得を調整する。なお、図１は明示していないが、利得制御部２２０は、信号レベルを測定する測定手段（測定部）を含む。
【００２２】
ここで、受信機の受信状態について説明する。本実施の形態において、受信状態は、受信機の状態そのものを意味し、次のように定義する。連続受信状態（例えば、ＷＣＤＭＡ方式における、Ｃｅｌｌ＿ＤＣＨ）は、受信機内部の制御部１８０でＲＲＣコネクションが確立し、受信機に対して個別に物理的なチャネルが割り当てられている状態である。すなわち、個別の物理チャネルを連続的に受信している状態である。共通チャネル受信状態（例えば、ＷＣＤＭＡ方式における、Ｃｅｌｌ＿ＦＡＣＨ）は、制御部１８０でＲＲＣコネクションが確立し，個別の物理チャネルは割り当てられておらず，共通チャネルにてユーザのデータを受信している状態（下り信号でＦＡＣＨを受信している状態）である。待ち受け状態は、受信機へ送信されるデータがない場合であり、制御部１８０でＲＲＣコネクションが確立していない（例えば、ＷＣＤＭＡ方式における、Ｉｄｌｅ），或いは，コネクションは確立しているが，個別に物理的なチャネルが割り当てられておらず，共通チャネル受信でＰＩＣＨを受信している状態（Ｃｅｌｌ＿ＰＣＨ，  ＵＲＡ＿ＰＣＨ）である。
【００２３】
また、Ｍｅａｓｕｒｅｍｅｎｔ  ｔｉｍｅ、コンプレスモードギャプ区間は制御部１８０が認識している。図１において、制御部１８０から判断部２１０へ入力している信号線によって、区間の名称（種類）と、Ｍｅａｓｕｒｅｍｅｎｔ  ｔｉｍｅ、コンプレスモードギャップ区間それぞれの区間で通常行う測定に掛かる時間を通知する。
【００２４】
次いで、上記構成を有する利得制御装置２００の動作について説明する。
図２は、判断部２１０の動作の一例を示すフロー図である。判断部２１０は、受信機の状態が、待ち受け状態である場合には（Ｓ１１でＹＥＳ）、待ち受け時測定部２１３へ処理（待ち受け時測定処理）の実行を指示し（Ｓ１２）、連続受信状態である場合には（Ｓ１３でＹＥＳ）、連続受信判定部２１２へ処理（連続受信時測定可否判定処理）の実行を指示し（Ｓ１４）、共通チャネルによるユーザデータを受信状態である場合には（Ｓ１３でＮＯ）、共通受信判定部２１１へ処理（共通チャネル受信時測定可否判定処理）の実行を指示する（Ｓ１５）。
【００２５】
次に、各処理について説明する。図３は、待ち受け時測定処理の動作の一例を示すフロー図である。図４は、連続受信時測定可否判定処理の動作の一例を示すフロー図である。図５は、共通チャネル受信時測定可否判定の動作の一例を示すフロー図である。
【００２６】
待ち受け時測定部２１３の処理の実行が指示された場合、図３に示すように、所定の間隔を計測し、所定の周期（あるいは定期的な周期）で隣接帯域の信号レベルの測定を指示し（Ｓ２１）、利得制御処理を実行する（Ｓ２２）。
【００２７】
連続受信判定部２１２の処理の実行が指示された場合、図４に示すように、コンプレスモード状態であるかどうか判断し（Ｓ３１）、コンプレスモード状態である場合には（Ｓ３１でＹＥＳ）、異周波セルのレベル測定や、別のシステムの探索を行うために必要な所要ギャップ長と、現在のコンプレスモードで指定されている指定ギャップ長を比較し（Ｓ３２）、指定ギャップ長の方が長い場合には（Ｓ３２でＹＥＳ）、通常のコンプレスモードギャップ中に行う処理の後に（Ｓ３３）、隣接信号レベルを測定して（Ｓ３４）、利得制御処理を実行する（Ｓ３５）。コンプレスモード状態でない場合には（Ｓ３１でＮＯ）、所望チャネルを受信する（Ｓ３６）。また、指定ギャップ長が所要ギャップ長より短いあるいは等しい場合（Ｓ３２でＮＯ）、通常のコンプレスモードギャップ中処理を実施する（Ｓ３７）。
【００２８】
また、共通チャネル受信時測定可否判断部２１２の処理の実行が指示された場合、図５に示すように、共通チャネル受信中に上位レイヤより異周波セルのレベル測定や、別のシステムの探索を行うために指定されるＭｅａｓｕｒｅｍｅｎｔ  ｔｉｍｅと、その区間において測定すべきセルやシステムについて処理を終了させるのに必要な測定所要時間とを比較し（Ｓ４１）、測定所要時間に比べて、指定された区間が長い場合には（Ｓ４１でＹＥＳ）、Ｍｅａｓｕｒｅｍｅｎｔ  ｔｉｍｅに通常行うＭｅａｓｕｒｅｍｅｎｔ処理（Ｓ４２）に続けて、隣接信号レベルを測定し（Ｓ４３）、利得制御処理を実行する（Ｓ４４）。測定所要時間に比べて、指定された区間が短い場合あるいは等しい場合には（Ｓ４１でＮＯ）、通常行うＭｅａｓｕｒｅｍｅｎｔ処理（Ｓ４５）を行う。
【００２９】
次に、利得制御処理の動作を説明する。図６は、利得制御処理の動作の一例を示すフロー図である。利得制御部２２０は、Ａ／Ｄ変換器１６０から出力されるＡ／Ｄ出力信号を入力し、Ａ／Ｄ出力信号の信号レベルを測定する。Ａ／Ｄ出力信号は、通常は、所望の帯域の信号であるが、判断部２１０が隣接信号の抽出をミキサ１３０へ指示するように制御した場合に隣接信号となる。図６では、Ａ／Ｄ信号が隣接信号の場合の動作の例を示している。
【００３０】
利得制御部２２０は、隣接信号レベルを測定する（Ｓ５１）。予め保持しておいた閾値と比較し（Ｓ５２）、隣接信号レベルが閾値より大きいと判明した場合には（Ｓ５２でＹＥＳ）、利得制御部２２０は、高周波帯域の利得を減少（低減）させ、不足分をベースバンド帯域の利得制御で補うよう、高周波帯利得制御増幅器１１０と、ベースバンド帯利得制御増幅器１４０ａ、１４０ｂを調整する（Ｓ５３）。隣接信号レベルが閾値以下であると判明した場合には（Ｓ５２でＮＯ）、トータル利得を増加させるか否かを判断する（Ｓ５４）。
【００３１】
トータル利得を増加させる場合（Ｓ５４でＹＥＳ）、利得制御部２２０は、まず、高周波帯域の利得を増加させ、不足分をベースバンド帯域の利得制御で補うよう、高周波帯利得制御増幅器１１０と、ベースバンド帯利得制御増幅器１５０を調整する（Ｓ５５）。トータル利得を下げる、あるいは、維持したい場合（Ｓ５４でＮＯ）、利得制御部２２０は、高周波帯域の利得を維持し、不足分をベースバンド帯域の利得制御で補うよう、高周波帯利得制御増幅器１１０と、ベースバンド帯利得制御増幅器１５０を調整する（Ｓ５６）。
【００３２】
ここで、具体的な利得制御の動作を説明する。利得制御部２２０は、Ａ／Ｄ変換器１６０より出力されたＩＱの値より、所望信号、隣接信号それぞれの電力を求める。電力値が一定の値になるよう、高周波帯域とベースバンド帯域のトータル利得を求める。求めた利得を、高周波帯域とベースバンド帯域に配分する。この配分する際に、閾値以上隣接チャネル信号の電力が大きい場合には，現状の高周波帯域に掛かっている利得を下げる。下げる量については任意なので，例えば，１ｄＢ刻みで下げていく方法でもよいし、高周波帯域での利得はかけなくてもよい。トータルから高周波帯域の利得を差し引いた残りをベースバンド帯域の利得で補う。
【００３３】
このように、本実施の形態では、隣接信号レベルを測定し、その測定結果に応じて、高周波帯利得制御増幅器１１０と、ベースバンド帯利得制御増幅器１５０を調整することが可能となるため、高周波帯域の利得が大きすぎるために起こる信号の歪みを回避することができる。また、処理時間に余裕があるかどうかを判断し、処理時間に余裕のあるときに隣接信号レベルを測定することができるため、受信機の所望信号の受信には影響しない。
【００３４】
なお、本実施の形態では、制御部１８０が受信機の受信状態を判断部２１０へ通知する形態を説明したが、制御部１８０が受信機の受信状態を判断し、隣接信号レベルを測定するか否かを判断してもよい。制御部１８０が、判断結果を利得制御部２２０、ミキサ１３０に反映する構成でも良く、利得制御装置２００から判断部２１０をなくすことも可能である。
【００３５】
また、本実施の形態では、所望信号レベルが所定の閾値より大きい場合であるか否かについては特に触れていない。しかしながら、判断部２１０は、所望信号レベルが所定の閾値より大きい場合に、隣接信号の抽出をミキサ１３０へ指示するようにしてもよい。この場合、図６で説明した利得制御処理においても、所望信号レベルが所定の閾値より大きい場合に実施されることになる。所望信号レベルが所定の閾値より大きいか否かは、判断部２１０が判断してもよいし、隣接信号レベルがＡ／Ｄ出力信号として利得制御部２２０へ入力された時に、利得制御部２２０が隣接信号レベルによる利得制御を実施するか否かを判断してもよい。
【００３６】
（実施の形態２）
図７は、本発明の実施の形態２に係る受信機の構成の一例を示すブロック図である。なお、図１と同じ符号のものは、同じ名称、同様の機能を有するため、説明を省略する。図７に示すように、本実施の形態における利得制御装置３００は、第一の比較器３２１、第二の比較器３２２を含む利得制御部３２０を備えた構成を採る。
【００３７】
第一の比較器３２１は、利得制御部３２０で測定した所望信号レベルと第一の閾値とを比較する。また、第二の比較器３２２は、隣接信号レベルと第二の閾値とを比較する。
【００３８】
次いで、利得制御装置の動作を、図８を用いて説明する。図８は、本実施の形態における、利得制御部３２０の動作の一例を示すフロー図である。判断部２１０によって、隣接信号の抽出がミキサ１３０へ指示されると、利得制御部３２０は、Ａ／Ｄ変換器からＡ／Ｄ出力信号として、隣接信号を受け渡され、隣接信号レベルを測定する。また、所望信号レベルは、事前に測定し、記憶領域内に保持している（Ｓ６１）。次に、第一の比較器３２１は、所望信号レベルと第一の閾値とを比較する（Ｓ６２）。所望信号レベルが第一の閾値より大きい場合（Ｓ６２でＹＥＳ）、第二の比較器３２２は、隣接信号レベルと第二の閾値とを比較する（Ｓ６３）。
【００３９】
隣接信号レベルが第二の閾値より大きい場合（Ｓ６３でＹＥＳ）、利得制御部３２０は、高周波帯域の利得を減少（低減）させ、不足分をベースバンド帯域の利得制御で補うよう、高周波帯利得制御増幅器１１０と、ベースバンド帯利得制御増幅器１５０を調整する（Ｓ６４）。隣接信号レベルが第二の閾値以下場合（Ｓ６３でＮＯ）、利得制御部３２０は、トータル利得を増加させるかを判断する（Ｓ６６）。
【００４０】
トータル利得を増加させる場合（Ｓ６６でＹＥＳ）、利得制御部３２０は、まず、高周波帯域の利得を増加させ、不足分をベースバンド帯域の利得制御で補うよう、高周波帯利得制御増幅器１１０と、ベースバンド帯利得制御増幅器１５０を調整する（Ｓ６７）。トータル利得を下げる、あるいは、維持したい場合（Ｓ６６でＮＯ）、利得制御部３２０は、高周波帯域の利得を維持し、不足分をベースバンド帯域の利得制御で補うよう、高周波帯利得制御増幅器１１０と、ベースバンド帯利得制御増幅器１５０を調整する（Ｓ６８）。
【００４１】
所望信号レベルが第一の閾値以下の場合（Ｓ６２でＮＯ）、利得制御部３２０は、高周波帯域の利得を増加し、不足分をベースバンド帯域の利得制御で補うよう、高周波帯利得制御増幅器１１０と、ベースバンド帯利得制御増幅器１５０を調整する（Ｓ６５）。なお、具体的な利得制御の動作は、図６と同様であるため説明を省略する。
【００４２】
図８の動作により、図６では雑音に埋もれてしまう信号を防ぐことが可能になる。具体的には、実施の形態１では，基本的に隣接信号レベルが大きい時には，高周波帯域の利得は下げる場合を図６において説明した。しかしながら、トータル利得を上げたい場で、利得制御前の時点での所望信号電力が非常に小さい場合には、先に高周波帯域の利得を下げてしまうと，ベースバンド帯域側で調整をしても，補えきれない場合が生じる。このような場合は、受信機雑音に信号が埋もれてしまうため、高周波帯域の利得を上げることにより、隣接信号の歪みによる劣化はあるが、信号自身が雑音に埋もれて取り出せなくなってしまうとは防ぐことができる。
【００４３】
このように、この実施の形態では、所望信号レベルが一定の閾値を満たさないほど小さい場合に、隣接信号レベルの大きさによらず、高周波帯域の利得を大きくすることで、受信機雑音に信号が埋もれてしまうことを防ぐとともに、隣接信号レベルが所定の閾値より大きい場合、高周波帯域の利得を減少することにより、高周波帯域の利得が大きすぎるために起こる信号の歪みを回避することができる。
【００４４】
なお、図７では、判断部２１０の構成を図１と同様にしたが、判断部２１０は、所望信号レベルが第一の閾値より大きい場合に、隣接信号レベルを抽出するようにミキサ１３０へ指示を出す機能のみを有する構成であってもよい。この場合、判断部２１０は、共通受信判定部２１１、連続受信判定部２１２，待ち受け時測定部２１３を有していない構成となる。
【００４５】
また、上記実施の形態では、隣接信号レベルが所定の値より大きい場合、高周波帯域利得を減少し、残りをベースバンド帯域で調整する例を説明したが、この場合も、トータル利得を変更して利得を制御することもできる。上記実施の形態では、利得の制御前の時点で測定した隣接信号レベルが所定の閾値よりも大きい場合（図６のＳ５２でＹＥＳ、図８のＳ６３でＹＥＳ）、現時点（制御前の時点）の高周波帯域の利得を下げ，残りの必要な利得をベースバンド帯域で補う（図６のＳ５３、図８のＳ６４）動作をする。ここでは、トータル利得は変更せずに、先に高周波帯域の利得を決める。しかしながら、隣接信号レベルが所定の値より大きく、高周波帯域の利得を下げる場合、次のようにして、トータル利得も含めて利得を制御することができる。（１）トータル利得を維持する場合には、ベースバンド帯域の利得を上げる。（２）トータル利得を下げる場合には、高周波帯域の利得を下げた分でまだ不足であれば、ベースバンド帯域の利得も下げる。（３）トータル利得を上げたい場合は、高周波帯域の利得を下げた分だけ、余計にベースバンド帯域の利得を上げる必要が生じる。このように、トータル利得を変更しながら制御することも可能である。
【産業上の利用可能性】
【００４６】
本発明に係る受信機および利得制御方法は、高周波帯の利得と、ベースバンド帯の利得を制御することで、高周波帯域の利得が大きすぎるために起こる信号の歪みを減らすものであり、無線通信装置へ用いるのに好適である。
【図面の簡単な説明】
【００４７】
【図１】本発明の実施の形態１に係る受信機の構成の一例を示すブロック図
【図２】判断部の動作の一例を示すフロー図
【図３】待ち受け時測定処理の動作の一例を示すフロー図
【図４】連続受信時測定可否判定処理の動作の一例を示すフロー図
【図５】共通チャネル受信時測定可否判定の動作の一例を示すフロー図
【図６】利得制御処理の動作の一例を示すフロー図
【図７】本発明の実施の形態２に係る受信機の構成の一例を示すブロック図
【図８】実施の形態２における、利得制御部の動作の一例を示すフロー図
【符号の説明】
【００４８】
１１０  高周波帯利得制御増幅器
１２０  バンドパスフィルタ
１３０  ミキサ
１４０ａ、１４０ｂ  ベースバンドフィルタ（局部発振器）
１５０  ベースバンド帯利得制御増幅器
１６０  Ａ／Ｄ変換器
１７０  データ送信部
１８０  制御部
２００、３００  利得制御装置
２１０  判断部
２１１  共通受信判定部
２１２  連続受信判定部
２１３  待ち受け時測定可否判定部
２２０、３２０  利得制御部
３２１  第一の比較器
３２２  第二の比較器
【図１】
2006050484.tif 000003
【図２】
2006050484.tif 000004
【図３】
2006050484.tif 000005
【図４】
2006050484.tif 000006
【図５】
2006050484.tif 000007
【図６】
2006050484.tif 000008
【図７】
2006050484.tif 000009
【図８】
2006050484.tif 000010